(57)【要約】【課題】セキュリティ機能付き車載機器において、正当なユーザがリモコンを紛失などした場合にもセキュリティコードを入力可能にする。【解決手段】車載バッテリから電源を供給されるとセキュリティモードに移行して、セキュリティコードをリモコンのテンキーから入力するように表示画面によりユーザに対して指示し（ステップＳ１２）、次いでリモコンとファンクションキーの所定の秘密キーの入力を監視する（ステップＳ１３、Ｓ１６）。ステップＳ１６において所定の秘密キーの入力があればその入力回数をカウントし、秘密キーの操作回数と、あらかじめ設定されたセキュリティコードの各桁の値とを比較して、全ての桁が一致した場合にセキュリティモードから通常使用モードに移行する。【選択図】　　　　図３
2004076263.tif 000002
【特許請求の範囲】
【請求項１】
あらかじめ設定されたセキュリティコードがリモコンのテンキーから入力された場合に前記セキュリティモードから通常使用モードに移行する車載機器のセキュリティ方法において、
車載機器本体の所定のキーを秘密キーとして、前記セキュリティモード時に前記秘密キーの操作回数と前記あらかじめ設定されたセキュリティコードの各桁の値とを比較して、全ての桁が一致した場合に前記セキュリティモードから通常使用モードに移行することを特徴とする車載機器のセキュリティ方法。
【請求項２】
車載バッテリからの電源が車載機器に供給された場合にセキュリティモードに移行するステップと、
前記セキュリティモード時に、あらかじめ設定された複数桁のセキュリティコードを車載機器のリモコンのテンキーから入力するように表示画面によりユーザに対して指示するステップと、
前記指示中に、あらかじめ設定されたセキュリティコードがリモコンのテンキーから入力された場合に前記セキュリティモードから通常使用モードに移行するステップと、
前記指示中に、車載機器本体の所定の秘密キーが操作された場合、前記秘密キーの操作回数と前記あらかじめ設定されたセキュリティコードの各桁の値とを比較して、全ての桁が一致した場合に前記セキュリティモードから通常使用モードに移行するステップとを、
有する車載機器のセキュリティ方法。
【請求項３】
車載機器本体に設けられたキーと、
テンキーを有するリモコンと、
セキュリティモード時に、あらかじめ設定されたセキュリティコードが前記リモコンのテンキーから入力された場合にセキュリティモードから通常使用モードに移行する手段と、
セキュリティモード時に、車載機器本体の所定のキーが秘密キーとして操作された場合に前記秘密キーの操作回数と前記あらかじめ設定されたセキュリティコードの各桁の値とを比較して、全ての桁が一致した場合に前記セキュリティモードから通常使用モードに移行する手段とを、
有する車載機器のセキュリティ装置。
【請求項４】
前記セキュリティコードの桁数と各桁の値がユーザによりあらかじめ設定可能である請求項２に記載の車載機器のセキュリティ装置。
【請求項５】
あらかじめ設定されたセキュリティコードがリモコンのテンキーから入力された場合に前記セキュリティモードから通常使用モードに移行する車載機器のセキュリティ・コンピュータプログラムにおいて、
セキュリティモード時に、車載機器本体の所定のキーが秘密キーとして操作された場合に前記秘密キーの操作回数と前記あらかじめ設定されたセキュリティコードの各桁の値とを比較して、全ての桁が一致した場合に前記セキュリティモードから通常使用モードに移行するステップを備えたことを特徴とするセキュリティ・コンピュータプログラム。
【発明の詳細な説明】
【０００１】
【発明の属する技術分野】
本発明は、セキュリティコード（暗証番号）によりカーオーディオ装置やカーナビゲーション装置などの車載機器の盗難を防止するための車載機器のセキュリティ方法及び装置並びにコンピュータプログラムに関する。
【０００２】
【従来の技術】
一般に、カーオーディオ装置やカーナビゲーション装置などの車載機器本体には、数字を入力するためのテンキーを備えていない。そこで、この種の従来例として、車載機器が盗難されて別の車両に取り付けられた場合を考慮して、車載バッテリからの電源が供給されると、例えばセキュリティコードが未だ設定されていない初期状態を除き、通常使用モードに入らずにセキュリティモードに移行し、あらかじめ設定されたセキュリティコードをリモコンのテンキーから入力するように表示画面によりユーザに対して指示し、あらかじめ設定されたセキュリティコードと一致するセキュリティコードが入力された場合にのみ通常使用モードに移行して車載機器を使用可能にする方法が知られている。
【０００３】
これにより、セキュリティコードを知らない窃盗者は車載機器を別の車両に取り付けても使用不能となるので、ひいては盗難を防止することができる。また、正当なユーザはバッテリ切れやバッテリ交換時にセキュリティコードをリモコンから入力することにより車載機器を使用可能になる。
【０００４】
【発明が解決しようとする課題】
しかしながら、上記従来例では、セキュリティモードにおいてリモコンからセキュリティコードが入力された場合にのみ通常使用モードに移行するので、正当なユーザがリモコンを紛失したり、リモコンの電池がなくなると車載機器が使用不能になるという問題点がある。また、セキュリティコードが、例えば数桁の数字の場合には解読が容易であり、セキュリティが必ずしも良くない。
【０００５】
本発明は上記従来例の問題点に鑑み、正当なユーザがリモコンを紛失などした場合にもセキュリティコードを入力することができる車載機器のセキュリティ方法及び装置並びにコンピュータプログラムを提供することを目的とする。
本発明はさらに、セキュリティコードの解読を困難にしてセキュリティを向上させることができる車載機器のセキュリティ装置を提供することを目的とする。
【０００６】
【課題を解決するための手段】
本発明の車載機器のセキュリティ方法及び装置並びにコンピュータプログラムは上記目的を達成するために、
あらかじめ設定されたセキュリティコードがリモコンのテンキーから入力された場合に前記セキュリティモードから通常使用モードに移行する構成において、
車載機器本体の所定のキーを秘密キーとして、前記セキュリティモード時に前記秘密キーの操作回数と前記あらかじめ設定されたセキュリティコードの各桁の値とを比較して、全ての桁が一致した場合に前記セキュリティモードから通常使用モードに移行する構成とした。
上記構成により、正当なユーザがリモコンを紛失などした場合にも車載機器本体の所定の既存のキーを秘密キーとしてセキュリティコードを入力することができる。
【０００７】
本発明はさらに、セキュリティコードの桁数と各桁の値がユーザによりあらかじめ設定可能である構成とした。
上記構成により、セキュリティコードの解読を困難にしてセキュリティを向上させることができる。
【０００８】
【発明の実施の形態】
以下、図面を参照して本発明の実施の形態について説明する。図１は本発明に係る車載機器のセキュリティ方法及び装置並びにコンピュータプログラムを適用したカーオーディオ装置の一実施の形態を示すブロック図、図２は図１のユーザインタフェースを示す構成図、図３は図１のカーオーディオ装置のセキュリティ処理を説明するためのフローチャートである。
【０００９】
本実施の形態のカーオーディオ装置は、音声出力用の音声処理部１、増幅部２及びスピーカ３と、画像表示用の表示部４及び画像処理部５と、制御用などの演算処理部／メイン処理部６、メモリ装置７、ユーザインタフェース８及びリモコン９を備えている。ユーザインタフェース８は、図２に示すように例えば表示部４の近傍に設けられたメニューキー１１、モードキー１２、決定キー１３、カーソルキー１４などのファンクションキーを備え、テンキーを備えていない。
【００１０】
これらのファンクションキー１１〜１４は、通常使用モード時にはそれぞれのファンクションキーとして動作するが、セキュリティモード時にはその内の所定の１つがセキュリティコードを入力するための秘密キーとして動作する。ここでは、モードキー１２を秘密キーとしておく。リモコン９は上記のファンクションキー１１〜１４と共にテンキーを備えている。演算処理部／メイン処理部６は車載バッテリＢＡＴに直結されるとともに、ＡＣＣ線及びイグニッションキーＩＧを介して車載バッテリＢＡＴに接続される。
【００１１】
次に図３を参照してセキュリティ処理を説明する。まず、車載バッテリＢＡＴから直結線を介して電源を供給されると、例えばセキュリティコードが未だメモリ装置７に設定されていない初期状態か否かを判断し（ステップＳ１）、初期状態の場合にはステップＳ２以下のセキュリティ設定処理に移行し、他方、初期状態でない場合にはステップＳ１１以下のセキュリティモードに移行する。なお、ステップＳ１１以下のセキュリティモードには、後述するステップＳ６においてセキュリティコード入力の問い合わせをイグニッションキーＩＧのオン毎に行うことが設定されている場合には、車載バッテリＢＡＴから直結線を介して電源を供給されている状態でイグニッションキーＩＧがオンになった場合にも移行する。
【００１２】
ステップＳ２以下では、まず、表示部４の画面によりユーザに対してセキュリティコードを使用する（「セキュリティ有」）か否かを問い合わせ（ステップＳ２）、ユーザインタフェース８により「使用しない」が選択されると通常モードに移行する。他方、ステップＳ２において「使用する」が選択されると、表示部４の画面によりユーザに対して何桁のコードを使用するかを問い合わせ、入力された数字をセキュリティコードの桁数としてメモリ装置７に登録する（ステップＳ３）。
【００１３】
次いで表示部４の画面によりユーザに対してセキュリティコードの入力を指示し、入力された数値をセキュリティコードとしてメモリ装置７に登録する（ステップＳ４）。次いでセキュリティ設定をユーザに再確認させるために、２回目の設定が行われたか否かを判断し（ステップＳ５）、１回目の設定であればステップＳ３（又はステップＳ２でもよい）に戻り、他方、２回目の設定であればステップＳ６に進む。ステップＳ６では、セキュリティモードにおけるセキュリティコード入力の問い合わせをイグニッションキーＩＧのオン毎に行うか、車載バッテリＢＡＴから直結線を介しての電源供給時にのみ行うかを問い合わせ、選択されたモードを登録し（ステップＳ６）、次いで通常使用モードに移行する（ステップＳ７）。
【００１４】
次にステップＳ１１以下のセキュリティモードについて説明する。まず、セキュリティコード使用モードが設定されているか否かを判断し（ステップＳ１１）、設定されていない場合には通常モードに移行する。他方、セキュリティコード使用モードが設定されている場合にはセキュリティコードをリモコン９のテンキーから入力するように表示画面によりユーザに対して指示し（ステップＳ１２）、次いでリモコン９とファンクションキーの所定の秘密キーの入力を監視する　（ステップＳ１３、Ｓ１６）。そして、リモコン９の入力があれば入力コードと登録コードを比較し（ステップＳ１４、Ｓ１５）、一致すれば通常モードに移行し（ステップＳ７）、他方、一致しなければエラー処理を行って通常モードに移行しない（ステップＳ２０）。
【００１５】
また、ステップＳ１６において所定の秘密キー（ここではモードキー１２）の入力があればその入力回数をカウントする（ステップＳ１７）。このとき、秘密キーが最初に押された時にタイマをスタートして所定のタイムアップまでに押された回数を入力回数とする。タイムアップ時にはビープ音を発生してユーザに知らせる。そして、入力回数と最初の桁の数値を比較し（ステップＳ１８）、一致しなければエラー処理を行って通常モードに移行しない（ステップＳ２０）。他方、一致した場合には登録桁数だけ処理を行ったか否かを判断し（ステップＳ１９）、「Ｎｏ」であればステップＳ１６に戻って登録桁数だけ処理を行う。そして、登録桁数だけ処理を行うと入力コードと登録コードを比較し（ステップＳ１５）、一致すれば通常モードに移行し、他方、一致しなければエラー処理を行って通常モードに移行しない（ステップＳ２０）。また、所定回数のエラー処理を行うとスピーカ３から最大出力でビープ音を発生することにより、盗難を周囲に知らせる。
【００１６】
【発明の効果】
以上説明したように本発明によれば、正当なユーザがリモコンを紛失などした場合にも装置本体の所定の既存のキーを秘密キーとしてセキュリティコードを入力することができる。
また、セキュリティコードの桁数と各桁の値がユーザによりあらかじめ設定可能であるので、セキュリティコードの解読を困難にしてセキュリティを向上させることができる。
【図面の簡単な説明】
【図１】本発明に係る車載機器のセキュリティ方法及び装置並びにコンピュータプログラムを適用したカーオーディオ装置の一実施の形態を示すブロック図
【図２】図１のユーザインタフェースを示す構成図
【図３】図１のカーオーディオ装置のセキュリティ処理を説明するためのフローチャート
【符号の説明】
６　演算処理部／メイン処理部
８　ユーザインタフェース
９　リモコン
ＢＡＴ　車載バッテリ
【図１】
2004076263.tif 000003
【図２】
2004076263.tif 000004
【図３】
2004076263.tif 000005